(57)【要約】【課題】装置本体に暗証番号用テンキーやレバーを設けず、リモコンが無くても、特定の動作により起動時の使用者認証が実行できる画像投影装置が提供される。【解決手段】周囲の明るさを感知可能な照度感知部１１７と、前記照度感知部が、前記周囲の明るさが所定の長さ及び所定の回数変化したことを感知したとき、その変化をカウントすることで認証信号として検出し、使用者認証を行う認証信号検証部２００と、を備える画像投影装置１０であって、前記画像投影装置の電源を立ち上げる際、前記認証信号検証部が検出された前記認証信号が正しいと判定すると、前記画像投影装置を動作可能な起動状態へ移行させることを特徴とする画像投影装置。【選択図】図３
2018157443.tif 000002
【特許請求の範囲】
【請求項１】
周囲の明るさを感知可能な照度感知部と、
前記照度感知部が、前記周囲の明るさが所定の長さ及び所定の回数変化したことを感知したとき、その変化をカウントすることで認証信号として検出し、使用者認証を行う認証信号検証部と、を備える画像投影装置であって、
前記画像投影装置の電源を立ち上げる際、前記認証信号検証部が検出された前記認証信号が正しいと判定すると、前記画像投影装置を動作可能な起動状態へ移行させる
ことを特徴とする画像投影装置。
【請求項２】
前記電源の起動直後に、前記照度感知部が前記画像投影装置の周囲が明るいと感知した場合は、前記使用者認証を行うために、使用者に、前記照度感知部の感知領域を覆って暗くさせることで前記照度感知部が感知する明るさを変化させる
ことを特徴とする請求項１に記載の画像投影装置。
【請求項３】
前記電源の起動直後に、前記照度感知部が前記画像投影装置の周囲が暗いと感知した場合は、前記使用者認証を行うために、使用者に、前記照度感知部を照らして前記照度感知部の感知領域を明るくさせることで前記照度感知部が感知する明るさを変化させる
ことを特徴とする請求項１に記載の画像投影装置。
【請求項４】
前記画像投影装置の周囲が暗い場合、前記使用者に、携帯電話、スマートフォン、ノートＰＣ又は懐中電灯の外部機器によって、前記照度感知部に対して光を入射させることで、前記照度感知部を照らして前記感知領域を明るくさせる
ことを特徴とする請求項３に記載の画像投影装置。
【請求項５】
前記認証信号検証部は、
前記照度感知部によって感知された照度変化の、明るさの変化時間及び変化回数をカウントすることで前記認証信号を検出する照度変化カウント部と、
設定された認証信号の変化時間及び変化回数の情報を予め記憶しておく認証信号情報記憶部と、
検出された前記認証信号の明るさの変化時間及び変化回数と、記憶された前記設定された認証信号の変化時間及び変化回数とを比較し、検出された前記認証信号が正しいかどうか判定する正誤判定部と、を有しており、
検出された前記認証信号が正しい場合、前記画像投影装置を投影可能な起動状態へ移行させる起動処理部と、を備える、
ことを特徴とする請求項２乃至４のいずれか一項に記載の画像投影装置。
【請求項６】
前記画像投影装置の電源を立ち上げる際、前記認証信号の入力を促す認証信号入力画面を表示する
ことを特徴とする請求項２乃至５のいずれか一項に記載の画像投影装置。
【請求項７】
照度感知部を備える画像投影装置の起動時の使用者認証方法であって、
装置の電源を立ち上げるステップと、
前記照度感知部によって、周囲の明るさを感知するステップと、
前記周囲の明るさの所定の長さ及び所定の回数の変化をカウントし、認証信号として検出するステップと、
正しい認証信号が検出されると、前記画像投影装置を動作可能な起動状態へ移行させるステップと、を有する
起動時の使用者認証方法。
【請求項８】
起動時の使用者認証機能を、照度感知部を備える画像投影装置に実現させるためのプログラムであって、
装置の電源を立ち上げるステップと、
前記照度感知部によって、周囲の明るさを感知するステップと、
前記周囲の明るさの所定の長さ及び所定の回数の変化をカウントし、認証信号として検出するステップと、
正しい認証信号が検出されると、前記画像投影装置を動作可能な起動状態へ移行させるステップと、を有する
起動時の使用者認証プログラム。
【発明の詳細な説明】
【技術分野】
【０００１】
本発明は、画像投影装置、画像投影装置の起動時の使用者認証方法、及び起動時の使用者認証プログラムに関する。
【背景技術】
【０００２】
盗難などによる第三者による不正使用を防止するために、電源立ち上げ時にセキュリティモードに、暗証番号の入力が行われた場合にのみ使用可能となるプロジェクタが既に知られている。
【０００３】
ここで、プロジェクタ本体に暗証番号入力用のテンキーを設けることはコストアップにつながるため、暗証番号の入力にはリモコンを使用する場合が多いが、リモコンが故障、紛失した場合プロジェクタを使用できない。
【０００４】
そのため、特許文献１には、プロジェクタ本体の側面に設けられた台形補正用のレバーを暗証番号の入力に利用するプロジェクタが開示されている。
【発明の概要】
【発明が解決しようとする課題】
【０００５】
しかし、上記特許文献１に示す、台形補正にはハードウェアによる画像処理が必要であり、またレバーには、レバー位置検出機構も必要なため、台形補正機能が搭載されていても、台形補正用のレバーが搭載されているプロジェクタは限られている。したがって、上記の暗証番号の入力操作は、台形補正用のレバーが無いプロジェクタでは実施できなかった。
【０００６】
そこで、本発明は、上記事情に鑑み、装置本体に暗証番号用テンキーやレバーを設けず、リモコンが無くても、特定の動作により起動時の使用者認証が実行できる画像投影装置を提供することを目的とする。
【課題を解決するための手段】
【０００７】
上記課題を解決するため、本発明の一態様では、
周囲の明るさを感知可能な照度感知部と、
前記照度感知部が、前記周囲の明るさが所定の長さ及び所定の回数変化したことを感知したとき、その変化をカウントすることで認証信号として検出し、使用者認証を行う認証信号検証部と、を備える画像投影装置であって、
前記画像投影装置の電源を立ち上げる際、前記認証信号検証部が検出された前記認証信号が正しいと判定すると、前記画像投影装置を動作可能な起動状態へ移行させる
ことを特徴とする画像投影装置、を提供する。
【発明の効果】
【０００８】
一態様によれば、画像投影装置において、装置本体に暗証番号用テンキーやレバーを設けず、リモコンが無くても、特定の動作により起動時の使用者認証が実行できる。
【図面の簡単な説明】
【０００９】
【図１】本発明の実施形態に係るプロジェクタが、スクリーンに認証信号入力画面を投影している状態を示す図である。
【図２】実施形態に係るプロジェクタのブロック構成について説明する図である。
【図３】本実施形態のプロジェクタにおいて、使用者認証処理に係る部分を示す機能ブロック図である。
【図４】部屋が明るい場合に、照度センサを用いて照度変化を感知し、認証信号を検出する方法を示す説明図である。
【図５】部屋が明るい場合の２種類の照度変化時間を含む認証信号の検出例である。
【図６】部屋が明るい場合の４種類の照度変化時間を含む認証信号の検出例である。
【図７】部屋が明るい場合に実行する、本実施形態の起動時の使用者認証動作を示すフローチャートの一例である。
【図８】部屋が明るい場合に実行する、本実施形態の起動時の使用者認証動作を示すフローチャートの別の例である。
【図９】部屋が暗い場合に、照度センサを用いて照度変化を感知し、認証信号を検出する方法を示す説明図である。
【図１０】部屋が暗い場合の２種類の照度変化時間を含む認証信号の検出例である。
【図１１】部屋が暗い場合の４種類の照度変化時間を含む認証信号の検出例である。
【図１２】部屋が暗い場合に実行する、本実施形態の起動時の使用者認証動作を示すフローチャートの例である。
【発明を実施するための形態】
【００１０】
以下、図面を参照して本発明を実施するための形態について説明する。下記、各図面において、同一構成部分には同一符号を付し、重複した説明を省略する場合がある。
【００１１】
＜画像投影装置＞
図１は、本発明の実施形態に係るプロジェクタが、スクリーンに認証信号入力画面を投影している状態を示す図である。
【００１２】
図１に示すように、画像投影装置の一例であるプロジェクタ１０は、照度センサ１１７を備えている。
【００１３】
本発明の実施形態では、プロジェクタに搭載されている照度センサを用いて、起動時の認証信号の入力及び検証を行う。詳しくは、本実施形態では、パワーオンセキュリティを有効にし、装置起動時の暗証番号やパスワードの入力（パワーオンパスワード）を、照度センサ１１７で感知、検出する明るさ変更動作による認証信号によって、代用することができる。
【００１４】
図１において、プロジェクタ１０は、スクリーンＳに、認証信号入力画面を投影している。図１に示すように、本実施形態のプロジェクタ１０は、パワーオンパスワードの入力画面に代えて、ログオン信号（使用者認証信号）入力画面を表示可能である。
【００１５】
本実施形態では、照度センサ１１７の感知範囲に対して、使用者が明るさを所定の長さ及び所定の回数変化させたことを照度センサ１１７が照度変化を感知する。そして、認証信号検証部２００（図３参照）がその照度変化の長さと回数をカウントすることで、ログオン信号（認証信号）として検出して、使用者認証を実行する。認証信号の検出動作については、図３〜図１２を用いて後述する。
【００１６】
照度センサ１１７は、プロジェクタ１０が画像を投影する方向とは反対側に設けられていると好適である。認証信号の元となる照度センサ１１７に対する照度変化を発生させる際に、スクリーンＳに投影された画像の影響が受けづらいためである。
【００１７】
また、図１に示す、認証信号入力画面で所定時間入力が無い場合、画面上に「照度センサに対して認証信号（ログオン信号）を入力してください」と認証信号の入力対象である照度センサ１１７の位置を特定して認証信号の入力である照度センサ１１７への照度変化を促すように表示してもよい。
【００１８】
ここで、一般的に、部屋の明るさを感知し、部屋の明るさによって、プロジェクタのランプの明るさを適切な明るさに調節する機能のために、プロジェクタ１０に、照度センサが搭載されることは、一般的である。また、上記調整機能を搭載しない場合、照度センサは搭載されないが、照度センサは部品価格が安いため、本発明での照度変化感知を用いた認証信号検出のために搭載しても製品コストへの影響はほとんどない。
【００１９】
図２は、実施形態に係るプロジェクタのブロック構成について説明する図である。
【００２０】
プロジェクタ１０は、外部Ｉ／Ｆ部１００、システム制御部１０１、音声処理部１０２、スピーカー１０３、映像処理部１０４、光学ユニット制御部１０５、光学ユニット１０６、光源制御部１０７、光源ランプ１０８、電源制御部１０９、電源１１０、操作部１１１、リモコン受信部１１２、記憶部１１３、ファン制御部１１４、ファン１１５、温度測定部１１６、及び表示部１２０を有する。
【００２１】
外部Ｉ／Ｆ部１００は、電子機器との間で各種情報を入出力するためのインターフェースである。外部Ｉ／Ｆ部１００を介して、映像出力機器等と接続されることで画像データや音声データを含む各種情報の入出力（送受信）を行う。
【００２２】
外部Ｉ／Ｆ部１００は、画像データや画像データの制御情報等の送受信を行うための映像ポート１００１と、音声データや音声データの制御情報等の送受信を行うための音声ポート１００２と、ＵＳＢ（Universal Serial Bus）端子と接続された電子機器と各種情報を送受信するためのＵＳＢポート１００３と、ネットワークへ接続しＬＡＮ接続された電子機器と各種情報を送受信するためのＬＡＮポート１００４、無線LANポート１００５、とを有する。
【００２３】
システム制御部１０１は、プロジェクタ１０を構成する他の各部を制御する。システム制御部１０１は、ＣＰＵ（Central Processing Unit）１０１１と、ＲＯＭ（Read Only Memory）１０１２と、ＲＡＭ（Random Access Memory）１０１３とにより実現される。
【００２４】
ＣＰＵ１０１１は、ＲＯＭ１０１２やシステム制御部１０１に記憶された各種プログラムに従って、各種制御や機能を実現する演算装置である。ＲＯＭ１０１２は、プロジェクタ１０で実行可能な各種プログラムや、これらの各種プログラムを実行する際に使用される各種データ、及びＣＰＵ１０１１の演算処理結果などを記憶する不揮発性の半導体メモリ（記憶装置）である。
【００２５】
ＲＡＭ１０１３は、ＣＰＵ１０１１によって実行される各種プログラムなどを展開するためのプログラム格納領域や、各種入出力データや各種プログラムの実行結果などを格納するデータ格納領域などを備える揮発性の半導体メモリ（記憶装置）である。
【００２６】
音声処理部１０２は、外部Ｉ／Ｆ部１００を介して入力された（受信した）音声データのうち、音量調整や音質調整等の処理を行う。音声処理部１０２は、入力された音声データに対して音量調整や音質調整等の処理を行った後、この処理後の音声データをスピーカー１０３や不図示の音声出力ポートに出力する。
【００２７】
スピーカー１０３は、音声処理部１０２から入力された音声データに従って、音声を出力する音声出力装置である。なお、スピーカー１０３は、プロジェクタ１０に内蔵されている内蔵型のスピーカーでもよいし、例えば不図示の音声出力ポートを介してケーブルやネットワークなどに接続される外部機器のスピーカーでもよい。
【００２８】
映像処理部１０４は、外部Ｉ／Ｆ部１００を介して入力された（受信した）画像データに対して、システム制御部１０１が適切に扱えるよう各種処理を行う。映像処理部１０４は、入力された画像データに対して各種処理を行った後、この処理後の画像データをＲＡＭ１０１３や不図示のバッファメモリ等に出力する。
【００２９】
そして、システム制御部１０１での映像処理を経て、表示部１２０へ画像が表示され、その画像が拡大されてスクリーンＳ（図１参照）に投影される。
【００３０】
光学ユニット制御部１０５は、光学ユニット１０６を制御して、映像処理部１０４からＲＡＭ１０１３や不図示のバッファメモリ等に出力された画像データの投影を行う。光学ユニット１０６は、レンズ、ミラーなどの光学部品から構成されるユニット（部品）である。光源制御部１０７、システム制御部１０１からの指示に基づき、光源ランプ１０８の点灯や消灯などを制御する。光源ランプ（光源）１０８は、例えば水銀ランプなどである。
【００３１】
電源制御部１０９は電源１１０を制御する。電源１１０はプロジェクタ１０に電力を供給する。
【００３２】
操作部１１１は、ユーザーからの各種操作入力を受け付け、システム制御部１０１を介して、操作入力に対応する機能を実現させる。操作部１１１は、例えばカーソルキーや文字／数字キー、各種機能キー等からの入力を受けつけることが可能である。
【００３３】
リモコン受信部１１２はリモコンなど遠隔からの各種操作入力を受け付け、システム制御部１０１を介して、操作入力に対応する機能を実現させる。リモコン受信部１１２は、例えば赤外線方式のリモコンからカーソルキーや文字／数字キー、各種機能の入力を受け付けることが可能である。
【００３４】
記憶部１１３は、例えばＥＥＰＲＯＭ（Electrically Erasable Programmable ROM）等の不揮発性の半導体メモリ（記憶装置）である。記憶部１１３は、プロジェクタ１０が実行可能な各種プログラムやこれらの各種プログラムを実行する際に使用される各種データ等を記憶する。各種データとは、例えばプロジェクタ１０に設定された設定値などである。
【００３５】
なお、記憶部１１３は、例えばＨＤ（Hard Disk）などの記憶装置であってもよい。また、記憶部１１３は、例えばプロジェクタ１０とネットワークを介して接続される記憶装置であってもよい。
【００３６】
また、記憶部１１３に、後述する入力された認証信号の比較対象となる基準となる認証信号のデータを記憶させてもよい。
【００３７】
ファン制御部１１４は、ファン１１５を制御する。ファン１１５は、本体もしくは部品を冷却したり、排熱したりするためのものである。温度測定部１１６は、プロジェクタ内部の温度を測定する温度センサである。
【００３８】
照度センサ１１７は、部屋の明るさを測定する照度感知部である。本実施形態において、照度センサ１１７は部屋の明るさを感知し、光源制御部１０７が、感知した部屋の明るさに応じて、光源ランプ１０８を適切な明るさに調節する。
【００３９】
さらに、照度測定部１１７は、プロジェクタ１０の起動時に、認証信号の元となる照度変化を感知する。認証信号の検出について下記、説明する。
【００４０】
＜機能ブロック＞
図３は本実施形態のプロジェクタ１０において、使用者認証処理に係る部分を示す機能ブロック図である。
【００４１】
照度センサ１１７の出力先には、認証信号検証部２００が設けられている。認証信号検証部２００の後段には起動処理部３００が設けられている。
【００４２】
また、電源立ち上げ時に電力が供給される起動処理部３００は、認証信号入力画面記憶部４００で記憶された画面情報を表示部１２０に送り、表示部１２０によって図１に示すような認証信号入力画面を表示することができる。
【００４３】
認証信号検証部２００には、照度変化カウント部２１０と、正誤判定部２２０と、認証信号情報記憶部２３０とが設けられている。
【００４４】
なお、図６の認証信号検証部２００は、図２に示すシステム制御部１０１に対応しており、図２に示したハードウェア構成において、ＲＯＭ１０１２や、図２に示す記憶部１１３のＨＤＤ等の記録媒体に格納されたプログラムがＲＡＭ１０１３に読み出される。ＣＰＵ１０１１がＲＡＭ１０１３に読み出されたプログラムに従って演算を行うことにより、ソフトウェア制御部が構成される。このようにして構成されたソフトウェア制御部と、ハードウェアとの組み合わせによって、本実施形態に係るプロジェクタ１０の機能を実現する図３に示すような機能ブロックが構成される。
【００４５】
照度変化カウント部２１０は、照度センサ１１７によって検出された照度変化の、明るさ（照度）の変化時間及び変化回数をカウントすることで、その照度変化を認証信号とし検出する。
【００４６】
なお、認証信号を検出させるために、照度センサ１１７が感知する照度を変化させるための使用者の動作を、「認証信号の入力」とする。
【００４７】
認証信号情報記憶部２３０は、設定された認証信号の情報（明るさの変化時間及び変化回数）を予め記憶しておく。
【００４８】
正誤判定部２２０は、照度変化カウント部２１０でカウントされた認証信号の明るさの変化時間及び変化回数と、認証信号情報記憶部２３０で記憶された、設定された認証信号における時間及び回数の情報とを比較し、入力された認証信号が正しいかどうか判定する。
【００４９】
入力された認証信号が正しい場合、正誤判定部２２０は、認証信号許可通知を、起動処理部３００へ通知する。
【００５０】
起動処理部３００は、認証信号許可通知を取得すると、プロジェクタ１０の各デバイスを起動させ、投影可能な起動状態へ移行させる。
【００５１】
＜明るい部屋の場合＞
図４は、部屋が明るい場合に、照度センサ１１７を用いて照度変化を感知し、認証信号を検出する方法を示す説明図である。
（１）プロジェクタ１０は比較的明るい部屋に置かれているとする。このとき、プロジェクタ１０の照度センサ１１７は600lx［ルクス］を検出している
（２）    照度センサ１１７を手で覆い暗くすると、照度センサ１１７が検出する照度は0lxに近くなる。
（３）  照度センサを手で覆うのをやめれば、再び照度センサ１１７は部屋の明るさ600lxを検出する。
【００５２】
例えば、600lxの半分の300lxを閾値とすれば、300lx以上をＨｉ、300lx以下をＬｏｗとして、Ｌｏｗの保持時間をパルスとして検出することができる。
【００５３】
このように周囲が明るい場合は、照度センサ１１７の感知領域を覆い暗くすることによる照度センサ１１７が感知する照度を小さくするよう変化させる。そして、照度変化カウント部２１０が、その照度変化の長さ及び回数をカウントすることで、認証信号として検出する。
【００５４】
このような、照度センサ１１７の感知領域の明るさを、使用者によって所定の長さ及び所定の回数、変化させ、その明るさの変化（照度変化）を照度センサ１１７が感知し、検出することによって使用者認証を実行する。下記、明るさ変化の長さの具体例について説明する。
【００５５】
（認証信号例１）
図５は、部屋が明るい場合の２種類の照度変化時間を含む認証信号の検出例である。詳しくは、この例では、照度を変化させている時間長さ（Ｌｏｗの保持期間）を、閾値を挟んで、長いもの（長信号）と短いもの（短信号）の２種類が設定されている。また、変化の回数は４回である。
【００５６】
このように、モールス信号のように２種類の長さの信号を複数回組み合わせて、感知領域付近の明るさを変化させ、その変化の長短と回数をカウントすることで、認証信号として機能させることができる。
【００５７】
なお、変化長さが２種類で、４回検出の場合は、２×２×２×２の１６通りの認証信号の種類になるが、変化長さや動作回数を増やすことで、さらに細分化した認証信号を設定することができる。
【００５８】
（認証信号例２）
図６は、部屋が明るい場合の４種類の照度変化時間を含む認証信号の検出例である。この例では、照度を変化させる時間長さを、時間別に４種類が設定されている。詳しくは、図６に示すように、Ｌｏｗの保持期間で、例えば、１秒＝「１」をカウントすれば、照度センサにより、時間に対応した数字を入力することが出来る。
【００５９】
このように、４種類の長さの信号を組み合わせて、感知領域付近の明るさを変化させ、その変化の長さと回数をカウントすることで、認証信号として機能させることができる。
【００６０】
なお、時間の感じ方には個人差があり、自分が１秒だと認識して動作しても、手で覆う時間が正確な１秒にならないこともありうる。例えば、変化している長さ（立下り時間）の前後の立下り時間も比較して、若干の誤差等も許容可能なように設定するとより好適である。例えば、図６の例では、１回目のＬｏｗの保持期間＜２回目のＬｏｗの保持期間＜３回目のＬｏｗの保持期間＜４回目のＬｏｗの保持期間であるという相対的な時間の長さの比較も考慮して設定してもよい。
【００６１】
このように変化長さの種類を増やすことで、認証信号の種類を増やすことができる。しかし、Ｌｏｗの保持時間を長くし過ぎると起動時間までの所要時間が長くなったり、使用者の感覚による時間差が生じる可能性が高くなるため、適宜考慮して認証信号の長さと回数を設定すると好ましい。
【００６２】
＜明るい部屋の場合のフローチャート＞
図７は、部屋が明るい場合に実行する、本実施形態の起動時の使用者認証動作を示すフローチャートの一例である。
【００６３】
まず、ステップ（以下、単にＳと称す）Ｓ１０１で、まず主電源をＯＮにして、立ち上げ動作を開始する。
【００６４】
Ｓ１０２で、照度センサ１１７をＯＮにして、部屋が明るいことを感知する。
【００６５】
Ｓ１０３で、システム制御部１０１及び光源制御部１０７を駆動し、光源ランプ１０８を点灯する。
【００６６】
Ｓ１０４で、光源ランプ１０８が点灯している状態で、図１に示すような設定された認証信号入力画面を表示部１２０で投影する。
【００６７】
Ｓ１０５で、照度センサ１１７を図３に示すように手で覆うことで、照度変化を感知させることにより、認証信号を入力する。
【００６８】
Ｓ１０６で、認証信号検証部２００で、Ｓ１０５で入力された認証信号が正しいかどうか検証する。
【００６９】
Ｓ１０７で、認証信号が正しい場合、Ｓ１０７に進む。間違っている場合、Ｓ１０５に戻る。
Ｓ１０７で、照度センサ１１７で感知した周囲の明るさを基に、光源ランプ１０８の明るさ制御を開始する。
【００７０】
ここで、Ｓ１０７に示すように照度センサ１１７を用いた光量調整は、認証信号入力の（Ｓ１０５）の後に実施する。認証信号入力時には、照度センサ１１７を遮ることにより、感知する明るさを変更するため、認証信号入力時に光源ランプ１０８の明るさが変化してしまうことによる、感知する照度が変化することを防ぐためである。
【００７１】
Ｓ１０８で、外部Ｉ／Ｆ部１００から入力された入力画像を、調整された光量で、表示部１２０で投影する。
【００７２】
図８は、部屋が明るい場合に実行する、本実施形態の起動時の使用者認証動作を示すフローチャートの別の例である。
【００７３】
図７の起動時の使用者認証動作では、高頻度で使用する使用者が待ち時間の短縮を望む可能性がある。その場合、図８に示すように、図１に示す認証信号入力画面を表示するステップを省略してもよい。
【００７４】
図８のフローでは、照度センサ１１７に認証信号を入力し（Ｓ２０３）、入力された認証信号が正しいことが確認された（Ｓ２０４）後、光源ランプ１０８を点灯させる（Ｓ２０５）。このフローでは、認証信号を知らなければ光源ランプ１０８を点灯できないため、いたずらによる光源点灯を防止できる。
【００７５】
また、図７と図８の使用者認証処理フローは選択可能であってもよい。例えば、同じ装置において、予め認証動作入力画面の立ち上がり時間（一定時間）を設定しておき、立ち上がり時間前に認証信号が入力された場合は、図８のフローを実施し、立ち上がり時間を経過しても認証信号が入力されない場合、図７のフローを実施してもよい。
【００７６】
＜暗い部屋の場合＞
図９は、部屋が暗い場合に、照度センサ１１７を用いて照度変化を感知し、認証信号を検出する入力する方法を示す説明図である。
【００７７】
（１）では、プロジェクタ１０は暗い部屋に置かれていて、プロジェクタ１０の照度センサ１１７はおよそ0lxを検出している。
【００７８】
（２）で、照度センサ１１７を、外部機器である、懐中電灯や、携帯電話、スマートフォン、ノートＰＣの液晶パネル又はフラッシュ点灯によって、照らして明るくすると、照度センサ１１が検出する照度は800lxに近くなる。
【００７９】
（３）で、照度センサ１１７を照らすのをやめれば、再び照度センサ１１７はおよそ0lxを検出する。
【００８０】
暗い部屋の場合、図３に示すように照度センサ１１７を手で覆う方法では、パルスを検出することが出来ないが、照度センサ１１７を照らして明るくすることで照度の感知領域の明るさを、照度を大きくするように変化させる。そして、照度変化カウント部２１０が、その照度変化の長さ及び回数をカウントすることで、認証信号として検出する。
【００８１】
例えば、800lxの半分の400lxを閾値とすれば、400lx以上をＨｉ、以下をＬｏｗとして、Ｈｉの保持時間をパルスとして検出することができる。
【００８２】
なお、照度センサ１１７を光で照らす外部機器の種類や外部機器内の光量調整の程度によって、入射する照度が異なるため、照度に応じて、閾値も適宜調整する。
【００８３】
（認証信号例１）
図１０は、部屋が暗い場合の２種類の照度変化時間を含む認証信号の検出例である。図４と同様に、照度を変化させている時間長さ（Ｈｉの期間の保持期間）を、閾値を挟んで、長いもの（長信号）と短いもの（短信号）の２種類が設定されている。また、変化の回数は４回である。
【００８４】
このように、モールス信号のように２種類の長さの信号を複数回組み合わせて、感知領域付近の明るさを変化させ、その変化の長短と回数をカウントすることで、認証信号として機能させることができる。また、変化長さや動作回数を増やすことで、さらに細分化した認証信号を設定することができる。
【００８５】
（認証信号例２）
図１１は、部屋が暗い場合の４種類の照度変化時間を含む認証信号の検出例である。この例では、照度を変化させる時間長さを、時間別に４種類が設定されている。詳しくは、図１１に示すように、Ｈｉの保持期間で、例えば、１秒＝「１」をカウントすれば、照度センサ１１７により、時間に対応した数字を入力することが出来る。
【００８６】
このように、４種類の長さの信号を組み合わせて、感知領域付近の明るさを変化させ、その変化を長さと回数をカウントすることで、認証信号として機能させることができる。
【００８７】
＜暗い部屋の場合のフロー＞
図１２は、部屋が暗い場合に実行する、本実施形態の起動時の使用者認証動作を示すフローチャートの例である。
【００８８】
まず、ステップ（以下、単にＳと称す）Ｓ３０１で、主電源をＯＮにして、立ち上げ動作を開始する。
【００８９】
Ｓ３０２で、照度センサ１１７をＯＮにして、部屋が明るいことを感知する。
【００９０】
Ｓ３０３で、照度センサ１１７に光を入射することで、照度変化を感知させることにより、認証信号を入力する。
【００９１】
Ｓ３０４で、認証信号検証部２００で、入力された認証信号が正しいかどうか判定する。
【００９２】
Ｓ２０４で、認証信号が正しい場合、Ｓ２０５に進む。間違っている場合、Ｓ２０３に戻って、再び、認証信号を入力する
Ｓ２０５で、プロジェクタ１０が起動し、光源ランプ１０８が点灯する。
【００９３】
Ｓ２０６で、照度センサ１１７で感知した周囲の明るさに応じて、光源（ランプ）１０７の明るさ（光量）制御を開始する。
【００９４】
Ｓ２０７で、外部Ｉ／Ｆ部１００から入力された入力画像を、調整された光量で、表示部１２０で投影する。
【００９５】
このように、照度センサ１１７を覆ったり、照度センサに光を入射したりすることで、部屋が明るい場合でも、暗い場合でも、認証信号を入力できる。
【００９６】
なお、図１１では、図８と同様に、照度センサ１１７に認証信号を入力し（Ｓ３０３）、入力された認証信号が正しいことが確認された（Ｓ３０４）後、光源ランプ１０８を点灯させる（Ｓ３０５）。このフローでは、認証信号を知らなければ光源ランプ１０８を点灯できないため、いたずらによる点灯を防止できる。
【００９７】
なお、プロジェクタ１０が、例えば、組織で共用されるケースで時々しか使用しない使用者は、認証信号は知っているが、使用方法がわからない場合がある。その場合でも、故障と誤解しないように、図１２で示すフローのＳ３０３の前で所定時間経過しても、光の入射による認証信号の入力が無い場合、図６のフローのＳ１０３、Ｓ１０４を実施して、図１に示す認証信号表示画面が表示されるように設定しておくとより好適である。
【００９８】
上記の実施形態により、プロジェクタ（画像投影装置）において、照度センサを使用して認証信号を入力する特定の動作を実施すうことで、装置本体に暗証番号用テンキーやレバーを設けず、リモコンが無くても、起動時の使用者認証が実行できる。
【００９９】
上記の実施形態では、画像装置起動時の立ち上げの際のパワーオンセキュリティを説明したが、画像投影装置を起動中においても操作をロックするように指示した場合に、装置の動作を制限するセキュリティモードへ遷移させることも考え得る。この場合も起動時と同様に、認証信号を入力しないと操作を再開する事が出来ないように設定してもよい。
【０１００】
以上、本発明の好ましい実施形態について詳述したが、本発明は係る特定の実施形態に限定されるものではなく、特許請求の範囲に記載された本発明の実施形態の要旨の範囲内において、種々の変形、変更が可能である。
【符号の説明】
【０１０１】
１０  プロジェクタ（画像投影装置）
１０１  システム制御部
１０６  光学ユニット
１０７  光源制御部
１０８  光源ランプ（光源）
１０９  電源制御部
１１７  照度センサ（照度感知部）
１２０  表示部（投影部）
２００  認証信号検証部
２１０  照度変化カウント部
２２０  正誤判定部
２３０  認証信号情報記憶部
３００  起動処理部
４００  認証信号入力画面記憶部
Ｓ  スクリーン
【先行技術文献】
【特許文献】
【０１０２】
【特許文献１】特開２０１５−１３８２２１号公報
【図１】
2018157443.tif 000003
【図２】
2018157443.tif 000004
【図３】
2018157443.tif 000005
【図４】
2018157443.tif 000006
【図５】
2018157443.tif 000007
【図６】
2018157443.tif 000008
【図７】
2018157443.tif 000009
【図８】
2018157443.tif 000010
【図９】
2018157443.tif 000011
【図１０】
2018157443.tif 000012
【図１１】
2018157443.tif 000013
【図１２】
2018157443.tif 000014